(57)【要約】【課題】本発明は自動的にインクを補充するインクボトルを開示した。【解決手段】本発明は歯ブラシ消毒セットを公示し、台座と、インクボトルと、支持柱とを含み、前記インクボトルが前記台座の頂端に固定されており、前記支持柱が前記台座の左側端面に固定され、前記インクボトルの中にはインクチャンバが設置され、前記インクチャンバの頂壁には外部と連通した貫通穴が設置され、前記台座の中にはベルトチャンバが設置され、前記ベルトチャンバの中には動力機構が設置され、前記動力機構はインクを均等にかき混ぜることができ、前記支持柱の頂端にはスライド溝が設置され、前記スライド溝の中にはスライドブロックがスライド可能に設置されている。【選択図】図１
2020175645.tif 000002
【特許請求の範囲】
【請求項１】
正面視で、台座と、インクボトルと、支持柱とを含み、前記インクボトルが前記台座の頂端に固定されており、前記支持柱が前記台座の左側端面に固定され、前記インクボトルの中にはインクチャンバが設置され、前記インクチャンバの頂壁には外部と連通した貫通穴が設置され、前記台座の中にはベルトチャンバが設置され、前記ベルトチャンバの中には動力機構が設置され、前記動力機構はインクを均等にかき混ぜることができ、前記支持柱の頂端にはスライド溝が設置され、前記スライド溝の中にはスライドブロックがスライド可能に設置され、前記スライドブロックの右側端面には円盤が固定的に設置され、前記円盤の中部には円型穴が設置され、前記円型穴の左右両側端壁の中  にはそれぞれスライドチャンバが設置され、前記スライドチャンバの中には万年筆を把持できる把持機構が設置され、前記円盤の頂端には二組の凹溝が左右対称に設置され、前記凹溝の中には万年筆にインクを補充できるインク補充機構が設置され、前記凹溝の一側に位置する円盤の中にはいずれも伝動チャンバが設置され、前記円盤の底端には弾性板が二組固定的に設置され、前記弾性板が弾性を有し、且つ前記弾性板の底端にはいずれも栓が固定的に設置され、前記栓が協働した後に前記貫通穴に挿入され、前記インクチャンバの頂部を封鎖でき、前記台座の右側端面には前記インクチャンバと連通した管路が設置され、前記管路の中には小さめの逆止弁が設置されていることを特徴とする自動的にインクを補充するインクボトル。
【請求項２】
前記動力機構は前記ベルトチャンバと前記インクチャンバとの間に回転可能に設置された攪拌軸を含み、前記インクチャンバの中に位置する前記攪拌軸の外周には攪拌ファンが固定的に設置され、前記攪拌軸の底端には前記ベルトチャンバの中に位置する従動プーリが固定的に設置され、前記ベルトチャンバの底壁の中には第一モータが固定的に嵌設され、前記第一モータの頂端には上に伸びたネジボルト軸が伝動可能に連結され、前記ネジボルト軸が前記支持柱と回転可能に連結され、且つ前記ネジボルト軸の頂部のうち伸びているところが前記スライドブロックとネジ山によって連結され、前記ベルトチャンバの中に位置する前記ネジボルト軸の外周には動力プーリが固定的に設置され、前記動力プーリと前記従動プーリとが第一ベルトによって伝動可能に連結されていることを特徴とする請求項１に記載の自動的にインクを補充するインクボトル。
【請求項３】
前記把持機構は前記スライドチャンバと前記伝動チャンバとの間に回転可能に設置された横向きネジボルトを含み、前記横向きネジボルトの一側末端には従動傘歯車が固定的に設置され、前記スライドチャンバの中にはネジ山ブロックがスライド可能に設置され、前記スライドチャンバの中には把持ブロックがスライド可能に設置され、前記把持ブロックの一端にはゴムブロックが固定的に設置され、前記把持ブロックと前記ネジ山ブロックとの間にはばねが取り付けられ、前記ネジ山ブロックと前記横向きネジボルトとがネジ山によって連結され、前記伝動チャンバの底壁にはいずれも伝動軸が回転可能に設置され、前記伝動軸の頂端には前記従動傘歯車と噛み合えるように連結された動力傘歯車が固定的に設置され、前記伝動軸の外周には大ギアが固定的に設置され、二組の前記伝動チャンバのうち互いに近接した側の内壁には第一内歯車が回転可能に設置され、前記第一内歯車の外周と前記大ギアとが噛み合えるように設置され、左側に位置する前記伝動軸の外周には第一プーリが固定的に設置され、左側に位置する前記伝動チャンバの一側端壁には半円チャンバが設置され、前記半円チャンバの上下端壁にはいずれもブッシングが回転可能に設置され、二組の前記ブッシングのうち互いに近接した側の末端にはいずれも端面ギアが固定的に設置され、前記ブッシングの外周にはいずれも第二プーリが固定的に設置され、底部に位置する前記第二プーリと前記第一プーリとが第二ベルトによって伝動可能に連結され、前記スライドブロックの底部端面には第二モータが固定的に嵌め込んており、前記第二モータの頂端にはスプラインスリーブが伝動可能に連結され、前記スプラインスリーブの中には上に伸びている動力軸がスプラインによって連結され、前記動力軸が前記ブッシングを貫いており、且つ前記ブッシングと隙間嵌めに連結され、二組の前記端面ギアの間に位置する前記動力軸の外周には動力ギアが固定的に設置され、前記動力軸の頂端には押しブロックが固定的に設置されていることを特徴とする請求項１に記載の自動的にインクを補充するインクボトル。
【請求項４】
前記インク補充機構は前記伝動チャンバの中に回転可能に設置されたウォームホイール  を含み、前記ウォームホイールの前側端面には糸巻輪が固定的に設置され、前記伝動チャンバの頂壁にはウォームが回転可能に設置され、前記ウォームと前記ウォームホイールとが噛み合っており、右側に位置する前記ウォームの底端には第三プーリが固定的に設置され、前記第三プーリと頂部に位置する前記端面ギアとが第三ベルトによって伝動可能に連結され、前記ウォームの外周には小ギアが固定的に設置され、前記伝動チャンバの一側端壁の中には第二内歯車が回転可能に設置され、前記第二内歯車と前記小ギアとが噛み合っており、前記凹溝の中には弓形板が回転可能に設置され、前記弓形板の一端には圧迫板が固定的に設置され、前記弓形板と前記糸巻輪とが引き糸によって連結されていることを特徴とする請求項１に記載の自動的にインクを補充するインクボトル。
【発明の詳細な説明】
【技術分野】
【０００１】
本発明はインクボトル技術分野に関わり、具体的には自動的にインクを補充するインクボトルである。
【背景技術】
【０００２】
市販のインクボトルの大半はインクを収納することのみを機能とし、インクボトルの蓋を開ける時、インクが手についてしまう場合が多々あり、また、時には長時間にボトルインクを放置すると、もう一度開ける時は難しくなり、そしてインクも沈殿しやすいである。インクを補充する時には、手で万年筆を持たなければならなく、手にインクをつけやすい上、洗いにくいである。
【先行技術文献】
【特許文献】
【０００３】
【特許文献１】中国特許出願公開第１０７４８７０８８号明細書
【発明の概要】
【発明が解決しようとする課題】
【０００４】
本発明は自動的にインクを補充するインクボトルを提供し、既存技術にある上記の欠点を解消することを目的とする。
【課題を解決するための手段】
【０００５】
本発明である自動的にインクを補充するインクボトルは、台座と、インクボトルと、支持柱とを含み、前記インクボトルが前記台座の頂端に固定されており、前記支持柱が前記台座の左側端面に固定され、前記インクボトルの中にはインクチャンバが設置され、前記インクチャンバの頂壁には外部と連通した貫通穴が設置され、前記台座の中にはベルトチャンバが設置され、前記ベルトチャンバの中には動力機構が設置され、前記動力機構はインクを均等にかき混ぜることができ、前記支持柱の頂端にはスライド溝が設置され、前記スライド溝の中にはスライドブロックがスライド可能に設置され、前記スライドブロックの右側端面には円盤が固定的に設置され、前記円盤の中部には円型穴が設置され、前記円型穴の左右両側端壁の中  にはそれぞれスライドチャンバが設置され、前記スライドチャンバの中には万年筆を把持できる把持機構が設置され、前記円盤の頂端には二組の凹溝が左右対称に設置され、前記凹溝の中には万年筆にインクを補充できるインク補充機構が設置され、前記凹溝の一側に位置する円盤の中にはいずれも伝動チャンバが設置され、前記円盤の底端には弾性板が二組固定的に設置され、前記弾性板が弾性を有し、且つ前記弾性板の底端にはいずれも栓が固定的に設置され、前記栓が協働した後に前記貫通穴に挿入され、前記インクチャンバの頂部を封鎖でき、前記台座の右側端面には前記インクチャンバと連通した管路が設置され、前記管路の中には小さめの逆止弁が設置され、前記管路によりインクを前記インクチャンバの中に補充できる。
【０００６】
更の技術プラン、前記動力機構は前記ベルトチャンバと前記インクチャンバとの間に回転可能に設置された攪拌軸を含み、前記インクチャンバの中に位置する前記攪拌軸の外周には攪拌ファンが固定的に設置され、前記攪拌軸の底端には前記ベルトチャンバの中に位置する従動プーリが固定的に設置され、前記ベルトチャンバの底壁の中には第一モータが固定的に嵌設され、前記第一モータの頂端には上に伸びたネジボルト軸が伝動可能に連結され、前記ネジボルト軸が前記支持柱と回転可能に連結され、且つ前記ネジボルト軸の頂部のうち伸びているところが前記スライドブロックとネジ山によって連結され、前記ベルトチャンバの中に位置する前記ネジボルト軸の外周には動力プーリが固定的に設置され、前記動力プーリと前記従動プーリとが第一ベルトによって伝動可能に連結され、前記第一モータの作動を制御することで、前記従動プーリを前記攪拌軸の回転を連動させ、そして前記攪拌ファンが前記インクチャンバの中のインクを攪拌し、インクを均等に混和させ、沈殿を防げ、同時にスライドブロックが上に滑り、栓を上に移動させ、それにより、前記貫通穴が開かれる。
【０００７】
更の技術プラン、前記把持機構は前記スライドチャンバと前記伝動チャンバとの間に回転可能に設置された横向きネジボルトを含み、前記横向きネジボルトの一側末端には従動傘歯車が固定的に設置され、前記スライドチャンバの中にはネジ山ブロックがスライド可能に設置され、前記スライドチャンバの中には把持ブロックがスライド可能に設置され、前記把持ブロックの一端にはゴムブロックが固定的に設置され、前記把持ブロックと前記ネジ山ブロックとの間にはばねが取り付けられ、前記ネジ山ブロックと前記横向きネジボルトとがネジ山によって連結され、前記伝動チャンバの底壁にはいずれも伝動軸が回転可能に設置され、前記伝動軸の頂端には前記従動傘歯車と噛み合えるように連結された動力傘歯車が固定的に設置され、前記伝動軸の外周には大ギアが固定的に設置され、二組の前記伝動チャンバのうち互いに近接した側の内壁には第一内歯車が回転可能に設置され、前記第一内歯車の外周と前記大ギアとが噛み合えるように設置され、左側に位置する前記伝動軸の外周には第一プーリが固定的に設置され、左側に位置する前記伝動チャンバの一側端壁には半円チャンバが設置され、前記半円チャンバの上下端壁にはいずれもブッシングが回転可能に設置され、二組の前記ブッシングのうち互いに近接した側の末端にはいずれも端面ギアが固定的に設置され、前記ブッシングの外周にはいずれも第二プーリが固定的に設置され、底部に位置する前記第二プーリと前記第一プーリとが第二ベルトによって伝動可能に連結され、前記スライドブロックの底部端面には第二モータが固定的に嵌め込んており、前記第二モータの頂端にはスプラインスリーブが伝動可能に連結され、前記スプラインスリーブの中には上に伸びている動力軸がスプラインによって連結され、前記動力軸が前記ブッシングを貫いており、且つ前記ブッシングと隙間嵌めに連結され、二組の前記端面ギアの間に位置する前記動力軸の外周には動力ギアが固定的に設置され、前記動力軸の頂端には押しブロックが固定的に設置され、前記第二モータの作動を制御し、そして前記押しブロックを押すことで、前記動力ギアと底部に位置する前記端面ギアとを噛み合わせ、さらに前記伝動軸を回転させ、前記横向きネジボルトを回転させることで、前記把持ブロックが万年筆を締め付ける。
【０００８】
更の技術プラン、前記インク補充機構は前記伝動チャンバの中に回転可能に設置されたウォームホイール  を含み、前記ウォームホイールの前側端面には糸巻輪が固定的に設置され、前記伝動チャンバの頂壁にはウォームが回転可能に設置され、前記ウォームと前記ウォームホイールとが噛み合っており、右側に位置する前記ウォームの底端には第三プーリが固定的に設置され、前記第三プーリと頂部に位置する前記端面ギアとが第三ベルトによって伝動可能に連結され、前記ウォームの外周には小ギアが固定的に設置され、前記伝動チャンバの一側端壁の中には第二内歯車が回転可能に設置され、前記第二内歯車と前記小ギアとが噛み合っており、前記凹溝の中には弓形板が回転可能に設置され、前記弓形板の一端には圧迫板が固定的に設置され、前記弓形板と前記糸巻輪とが引き糸によって連結され、前記ウォームの回転を制御することで、前記第二内歯車を回転させ、そして左右両側に位置する前記糸巻輪を回転させ、さらに前記弓形板の頂端に位置する前記圧迫板を万年筆の墨汁嚢を圧迫させ、インク補充を行う。
【０００９】
使用時には、まず第一モータを起動し、ネジボルト軸を回転させ、そして動力プーリを前記従動プーリの回転を連動させ、それにより、攪拌ファンがインクチャンバの中のインクを攪拌し、インクを均等に混和させ、沈殿を防げ、同時にネジボルト軸がスライドブロックを上に滑らせ、円盤を上に移動させることで、栓を開き、この時万年筆を円型穴の中に挿入し、万年筆の底部を前記インクチャンバの中に伸び、押しブロックを押すことで、動力ギアと底部に位置する端面ギアとを噛み合わせ、この時第二モーターを起動し、動力ギアを端面ギアの回転を連動させ、そして第二プーリが第一プーリの回転を連動させ、大ギアを第一内歯車の回転を連動させ、さらに左右両側に位置する動力傘歯車を全部回転させ、横向きネジボルトを回転させ、それにより、把持ブロックが互いに接近して万年筆を締め付け、締め付けた後に押しブロックを放し、動力ギアと頂部に位置する端面ギアとを噛み合わせ、第二モータの作動を制御し、ウォームを回転させ、そして第二内歯車を回転させ、左右両側に位置する糸巻輪を全部回転させ、さらに弓形板を回転させ、圧迫板を万年筆の墨汁嚢を圧迫させ、インク補充を行い、補充完了後、逆操作することで、装置を初期状態に戻す。
【発明の効果】
【００１０】
本発明の有益的効果は：本発明は直接手でインクボトルを開けずに済み、インクボトルを開ける時にインクが手につくことを防げ、同時に万年筆への自動的把持とインク補充も実現し、手でインクを補充することの手間を省き、インク補充中にインクが手や服につくことを防げられる。
【図面の簡単な説明】
【００１１】
下記に図１〜５を交え、本発明について詳しく説明し、また、説明をわかりやすくさせるため、下記の方向を以下のように規定する：図１は本発明装置の正面図であり、以下に述べる上下左右前後の方向と図１本体の投影関係の上下左右前後の方向とが一致である。
【００１２】
【図１】図１は本発明である自動的にインクを補充するインクボトルの内部全体構成略図
【図２】図２は図１におけるＡの局部拡大略図
【図３】図３は本発明における把持機構の局部拡大略図
【図４】図４は本発明における把持ブロックの略図
【図５】図５は本発明における押しブロックの略図
【発明を実施するための形態】
【００１３】
図１〜５を参照し、本発明である自動的にインクを補充するインクボトルは、台座１１と、インクボトル２０と、支持柱１２とを含み、前記インクボトル２０が前記台座１１の頂端に固定されており、前記支持柱１２が前記台座１１の左側端面に固定され、前記インクボトル２０の中にはインクチャンバ２１が設置され、前記インクチャンバ２１の頂壁には外部と連通した貫通穴４６が設置され、前記台座１１の中にはベルトチャンバ１４が設置され、前記ベルトチャンバ１４の中には動力機構８１が設置され、前記動力機構８１はインクを均等にかき混ぜることができ、前記支持柱１２の頂端にはスライド溝２５が設置され、前記スライド溝２５の中にはスライドブロック２６がスライド可能に設置され、前記スライドブロック２６の右側端面には円盤１０が固定的に設置され、前記円盤１０の中部には円型穴６１が設置され、前記円型穴６１の左右両側端壁の中  にはそれぞれスライドチャンバ６２が設置され、前記スライドチャンバ６２の中には万年筆を把持できる把持機構８２が設置され、前記円盤１０の頂端には二組の凹溝５４が左右対称に設置され、前記凹溝５４の中には万年筆にインクを補充できるインク補充機構８３が設置され、前記凹溝５４の一側に位置する円盤１０の中にはいずれも伝動チャンバ５０が設置され、前記円盤１０の底端には弾性板４５が二組固定的に設置され、前記弾性板４５が弾性を有し、且つ前記弾性板４５の底端にはいずれも栓４４が固定的に設置され、前記栓４４が協働した後に前記貫通穴４６に挿入され、前記インクチャンバ２１の頂部を封鎖でき、前記台座１１の右側端面には前記インクチャンバ２１と連通した管路１８が設置され、前記管路１８の中には小さめの逆止弁１９が設置され、前記管路１８によりインクを前記インクチャンバ２１の中に補充できる。
【００１４】
前記動力機構８１は前記ベルトチャンバ１４と前記インクチャンバ２１との間に回転可能に設置された攪拌軸２２を含み、前記インクチャンバ２１の中に位置する前記攪拌軸２２の外周には攪拌ファン２３が固定的に設置され、前記攪拌軸２２の底端には前記ベルトチャンバ１４の中に位置する従動プーリ１５が固定的に設置され、前記ベルトチャンバ１４の底壁の中には第一モータ１３が固定的に嵌設され、前記第一モータ１３の頂端には上に伸びたネジボルト軸２４が伝動可能に連結され、前記ネジボルト軸２４が前記支持柱１２と回転可能に連結され、且つ前記ネジボルト軸２４の頂部のうち伸びているところが前記スライドブロック２６とネジ山によって連結され、前記ベルトチャンバ１４の中に位置する前記ネジボルト軸２４の外周には動力プーリ１６が固定的に設置され、前記動力プーリ１６と前記従動プーリ１５とが第一ベルト１７によって伝動可能に連結され、前記第一モータ１３の作動を制御することで、前記従動プーリ１５を前記攪拌軸２２の回転を連動させ、そして前記攪拌ファン２３が前記インクチャンバ２１の中のインクを攪拌し、インクを均等に混和させ、沈殿を防げ、同時にスライドブロック２６が上に滑り、栓４４を上に移動させ、それにより、前記貫通穴４６が開かれる。
【００１５】
前記把持機構８２は前記スライドチャンバ６２と前記伝動チャンバ５０との間に回転可能に設置された横向きネジボルト５２を含み、前記横向きネジボルト５２の一側末端には従動傘歯車３７が固定的に設置され、前記スライドチャンバ６２の中にはネジ山ブロック５７がスライド可能に設置され、前記スライドチャンバ６２の中には把持ブロック５６がスライド可能に設置され、前記把持ブロック５６の一端にはゴムブロック６０が固定的に設置され、前記把持ブロック５６と前記ネジ山ブロック５７との間にはばね５８が取り付けられ、前記ネジ山ブロック５７と前記横向きネジボルト５２とがネジ山によって連結され、前記伝動チャンバ５０の底壁にはいずれも伝動軸５９が回転可能に設置され、前記伝動軸５９の頂端には前記従動傘歯車３７と噛み合えるように連結された動力傘歯車３６が固定的に設置され、前記伝動軸５９の外周には大ギア３４が固定的に設置され、二組の前記伝動チャンバ５０のうち互いに近接した側の内壁には第一内歯車５１が回転可能に設置され、前記第一内歯車５１の外周と前記大ギア３４とが噛み合えるように設置され、左側に位置する前記伝動軸５９の外周には第一プーリ３５が固定的に設置され、左側に位置する前記伝動チャンバ５０の一側端壁には半円チャンバ２７が設置され、前記半円チャンバ２７の上下端壁にはいずれもブッシング３１が回転可能に設置され、二組の前記ブッシング３１のうち互いに近接した側の末端にはいずれも端面ギア２９が固定的に設置され、前記ブッシング３１の外周にはいずれも第二プーリ３０が固定的に設置され、底部に位置する前記第二プーリ３０と前記第一プーリ３５とが第二ベルト６５によって伝動可能に連結され、前記スライドブロック２６の底部端面には第二モータ３３が固定的に嵌め込んており、前記第二モータ３３の頂端にはスプラインスリーブ６８が伝動可能に連結され、前記スプラインスリーブ６８の中には上に伸びている動力軸３２がスプラインによって連結され、前記動力軸３２が前記ブッシング３１を貫いており、且つ前記ブッシング３１と隙間嵌めに連結され、二組の前記端面ギア２９の間に位置する前記動力軸３２の外周には動力ギア２８が固定的に設置され、前記動力軸３２の頂端には押しブロック７１が固定的に設置され、前記第二モータ３３の作動を制御し、そして前記押しブロック７１を押すことで、前記動力ギア２８と底部に位置する前記端面ギア２９とを噛み合わせ、さらに前記伝動軸５９を回転させ、前記横向きネジボルト５２を回転させることで、前記把持ブロック５６が万年筆を締め付ける。
【００１６】
前記インク補充機構８３は前記伝動チャンバ５０の中に回転可能に設置されたウォームホイール  ３８を含み、前記ウォームホイール３８の前側端面には糸巻輪３９が固定的に設置され、前記伝動チャンバ５０の頂壁にはウォーム４３が回転可能に設置され、前記ウォーム４３と前記ウォームホイール３８とが噛み合っており、右側に位置する前記ウォーム４３の底端には第三プーリ７０が固定的に設置され、前記第三プーリ７０と頂部に位置する前記端面ギア２９とが第三ベルト６６によって伝動可能に連結され、前記ウォーム４３の外周には小ギア４２が固定的に設置され、前記伝動チャンバ５０の一側端壁の中には第二内歯車４０が回転可能に設置され、前記第二内歯車４０と前記小ギア４２とが噛み合っており、前記凹溝５４の中には弓形板５５が回転可能に設置され、前記弓形板５５の一端には圧迫板６９が固定的に設置され、前記弓形板５５と前記糸巻輪３０とが引き糸５３によって連結され、前記ウォーム４３の回転を制御することで、前記第二内歯車４０を回転させ、そして左右両側に位置する前記糸巻輪３９を回転させ、さらに前記弓形板５５の頂端に位置する前記圧迫板６９を万年筆の墨汁嚢を圧迫させ、インク補充を行う。  
【００１７】
使用時には、まず第一モータ１３を起動し、ネジボルト軸２４を回転させ、そして動力プーリ１６を前記従動プーリの回転を連動させ、それにより、攪拌ファン２３がインクチャンバ２１の中のインクを攪拌し、インクを均等に混和させ、沈殿を防げ、同時にネジボルト軸２４がスライドブロック２６を上に滑らせ、円盤１０を上に移動させることで、栓４４を開き、この時万年筆を円型穴６１の中に挿入し、万年筆の底部を前記インクチャンバ２１の中に伸び、押しブロック７１を押すことで、動力ギア２８と底部に位置する端面ギア２９とを噛み合わせ、この時第二モーター３３を起動し、動力ギア２８を端面ギア２０の回転を連動させ、そして第二プーリ３０が第一プーリ３５の回転を連動させ、大ギア３４を第一内歯車５１の回転を連動させ、さらに左右両側に位置する動力傘歯車３６を全部回転させ、横向きネジボルト５２を回転させ、それにより、把持ブロック５６が互いに接近して万年筆を締め付け、締め付けた後に押しブロック７１を放し、動力ギア２８と頂部に位置する端面ギア２９とを噛み合わせ、第二モータ３３の作動を制御し、ウォーム４３を回転させ、そして第二内歯車４０を回転させ、左右両側に位置する糸巻輪３０を全部回転させ、さらに弓形板５５を回転させ、圧迫板６９を万年筆の墨汁嚢を圧迫させ、インク補充を行い、補充完了後、逆操作することで、装置を初期状態に戻す。
【００１８】
本発明の有益的効果は：本発明は直接手でインクボトルを開けずに済み、インクボトルを開ける時にインクが手につくことを防げ、同時に万年筆への自動的把持とインク補充も実現し、手でインクを補充することの手間を省き、インク補充中にインクが手や服につくことを防げられる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175645.tif 000003
【図２】
2020175645.tif 000004
【図３】
2020175645.tif 000005
【図４】
2020175645.tif 000006
【図５】
2020175645.tif 000007
【手続補正書】
【提出日】令和1年7月14日(2019.7.14)
【手続補正１】
【補正対象書類名】特許請求の範囲
【補正対象項目名】全文
【補正方法】変更
【補正の内容】
【特許請求の範囲】
【請求項１】
正面視で、台座と、インクボトルと、支持柱とを含み、前記インクボトルが前記台座の頂端に固定されており、前記支持柱が前記台座の左側端面に固定され、前記インクボトルの中にはインクチャンバが設置され、前記インクチャンバの頂壁には外部と連通した貫通穴が設置され、前記台座の中にはベルトチャンバが設置され、前記ベルトチャンバの中には動力機構が設置され、前記動力機構はインクを均等にかき混ぜることができ、前記支持柱の頂端にはスライド溝が設置され、前記スライド溝の中にはスライドブロックがスライド可能に設置され、前記スライドブロックの右側端面には円盤が固定的に設置され、前記円盤の中部には円型穴が設置され、前記円型穴の左右両側端壁の中にはそれぞれスライドチャンバが設置され、前記スライドチャンバの中には万年筆を把持できる把持機構が設置され、前記円盤の頂端には二組の凹溝が左右対称に設置され、前記凹溝の中には万年筆を圧迫することで前記インクボトルから万年筆にインクを補充させることが可能なインク補充機構が設置され、前記凹溝の一側に位置する円盤の中にはいずれも伝動チャンバが設置され、前記円盤の底端には弾性板が二組固定的に設置され、前記弾性板が弾性を有し、且つ前記弾性板の底端にはいずれも栓が固定的に設置され、前記栓が協働した後に前記貫通穴に挿入され、前記インクチャンバの頂部を封鎖でき、前記台座の右側端面には前記インクチャンバと連通した管路が設置され、前記管路の中には小さめの逆止弁が設置されていることを特徴とする自動的にインクを補充するインクボトル。
【請求項２】
前記動力機構は前記ベルトチャンバと前記インクチャンバとの間に回転可能に設置された攪拌軸を含み、前記インクチャンバの中に位置する前記攪拌軸の外周には攪拌ファンが固定的に設置され、前記攪拌軸の底端には前記ベルトチャンバの中に位置する従動プーリが固定的に設置され、前記ベルトチャンバの底壁の中には第一モータが固定的に嵌設され、前記第一モータの頂端には上に伸びたネジボルト軸が伝動可能に連結され、前記ネジボルト軸が前記支持柱と回転可能に連結され、且つ前記ネジボルト軸の頂部のうち伸びているところが前記スライドブロックとネジ山によって連結され、前記ベルトチャンバの中に位置する前記ネジボルト軸の外周には動力プーリが固定的に設置され、前記動力プーリと前記従動プーリとが第一ベルトによって伝動可能に連結されていることを特徴とする請求項１に記載の自動的にインクを補充するインクボトル。
【請求項３】
前記把持機構は前記スライドチャンバと前記伝動チャンバとの間に回転可能に設置された横向きネジボルトを含み、前記横向きネジボルトの一側末端には従動傘歯車が固定的に設置され、前記スライドチャンバの中にはネジ山ブロックがスライド可能に設置され、前記スライドチャンバの中には把持ブロックがスライド可能に設置され、前記把持ブロックの一端にはゴムブロックが固定的に設置され、前記把持ブロックと前記ネジ山ブロックとの間にはばねが取り付けられ、前記ネジ山ブロックと前記横向きネジボルトとがネジ山によって連結され、前記伝動チャンバの底壁にはいずれも伝動軸が回転可能に設置され、前記伝動軸の頂端には前記従動傘歯車と噛み合えるように連結された動力傘歯車が固定的に設置され、前記伝動軸の外周には大ギアが固定的に設置され、二組の前記伝動チャンバのうち互いに近接した側の内壁には第一内歯車が回転可能に設置され、前記第一内歯車の外周と前記大ギアとが噛み合えるように設置され、左側に位置する前記伝動軸の外周には第一プーリが固定的に設置され、左側に位置する前記伝動チャンバの一側端壁には半円チャンバが設置され、前記半円チャンバの上下端壁にはいずれもブッシングが回転可能に設置され、二組の前記ブッシングのうち互いに近接した側の末端にはいずれも端面ギアが固定的に設置され、前記ブッシングの外周にはいずれも第二プーリが固定的に設置され、底部に位置する前記第二プーリと前記第一プーリとが第二ベルトによって伝動可能に連結され、前記スライドブロックの底部端面には第二モータが固定的に嵌め込んており、前記第二モータの頂端にはスプラインスリーブが伝動可能に連結され、前記スプラインスリーブの中には上に伸びている動力軸がスプラインによって連結され、前記動力軸が前記ブッシングを貫いており、且つ前記ブッシングと隙間嵌めに連結され、二組の前記端面ギアの間に位置する前記動力軸の外周には動力ギアが固定的に設置され、前記動力軸の頂端には押しブロックが固定的に設置されていることを特徴とする請求項１に記載の自動的にインクを補充するインクボトル。
【請求項４】
前記インク補充機構は前記伝動チャンバの中に回転可能に設置されたウォームホイール  を含み、前記ウォームホイールの前側端面には糸巻輪が固定的に設置され、前記伝動チャンバの頂壁にはウォームが回転可能に設置され、前記ウォームと前記ウォームホイールとが噛み合っており、前記ウォームの底端には第三プーリが固定的に設置され、前記第三プーリと頂部に位置する前記端面ギアとが第三ベルトによって伝動可能に連結され、前記ウォームの外周には小ギアが固定的に設置され、前記伝動チャンバの一側端壁の中には第二内歯車が回転可能に設置され、前記第二内歯車と前記小ギアとが噛み合っており、前記凹溝の中には弓形板が回転可能に設置され、前記弓形板の一端には圧迫板が固定的に設置され、前記弓形板と前記糸巻輪とが引き糸によって連結されていることを特徴とする請求項３に記載の自動的にインクを補充するインクボトル。
【手続補正２】
【補正対象書類名】明細書
【補正対象項目名】全文
【補正方法】変更
【補正の内容】
【発明の詳細な説明】
【技術分野】
【０００１】
本発明はインクボトル技術分野に関わり、具体的には自動的にインクを補充するインクボトルである。
【背景技術】
【０００２】
市販のインクボトルの大半はインクを収納することのみを機能とし、インクボトルの蓋を開ける時、インクが手についてしまう場合が多々あり、また、時には長時間にボトルインクを放置すると、もう一度開ける時は難しくなり、そしてインクも沈殿しやすいである。インクを補充する時には、手で万年筆を持たなければならなく、手にインクをつけやすい上、洗いにくいである。
【先行技術文献】
【特許文献】
【０００３】
【特許文献１】中国特許出願公開第１０７４８７０８８号明細書
【発明の概要】
【発明が解決しようとする課題】
【０００４】
本発明は自動的にインクを補充するインクボトルを提供し、既存技術にある上記の欠点を解消することを目的とする。
【課題を解決するための手段】
【０００５】
本発明である自動的にインクを補充するインクボトルは、台座と、インクボトルと、支持柱とを含み、前記インクボトルが前記台座の頂端に固定されており、前記支持柱が前記台座の左側端面に固定され、前記インクボトルの中にはインクチャンバが設置され、前記インクチャンバの頂壁には外部と連通した貫通穴が設置され、前記台座の中にはベルトチャンバが設置され、前記ベルトチャンバの中には動力機構が設置され、前記動力機構はインクを均等にかき混ぜることができ、前記支持柱の頂端にはスライド溝が設置され、前記スライド溝の中にはスライドブロックがスライド可能に設置され、前記スライドブロックの右側端面には円盤が固定的に設置され、前記円盤の中部には円型穴が設置され、前記円型穴の左右両側端壁の中にはそれぞれスライドチャンバが設置され、前記スライドチャンバの中には万年筆を把持できる把持機構が設置され、前記円盤の頂端には二組の凹溝が左右対称に設置され、前記凹溝の中には万年筆を圧迫することで前記インクボトルから万年筆にインクを補充させることが可能なインク補充機構が設置され、前記凹溝の一側に位置する円盤の中にはいずれも伝動チャンバが設置され、前記円盤の底端には弾性板が二組固定的に設置され、前記弾性板が弾性を有し、且つ前記弾性板の底端にはいずれも栓が固定的に設置され、前記栓が協働した後に前記貫通穴に挿入され、前記インクチャンバの頂部を封鎖でき、前記台座の右側端面には前記インクチャンバと連通した管路が設置され、前記管路の中には小さめの逆止弁が設置され、前記管路によりインクを前記インクチャンバの中に補充できる。
【０００６】
更の技術プラン、前記動力機構は前記ベルトチャンバと前記インクチャンバとの間に回転可能に設置された攪拌軸を含み、前記インクチャンバの中に位置する前記攪拌軸の外周には攪拌ファンが固定的に設置され、前記攪拌軸の底端には前記ベルトチャンバの中に位置する従動プーリが固定的に設置され、前記ベルトチャンバの底壁の中には第一モータが固定的に嵌設され、前記第一モータの頂端には上に伸びたネジボルト軸が伝動可能に連結され、前記ネジボルト軸が前記支持柱と回転可能に連結され、且つ前記ネジボルト軸の頂部のうち伸びているところが前記スライドブロックとネジ山によって連結され、前記ベルトチャンバの中に位置する前記ネジボルト軸の外周には動力プーリが固定的に設置され、前記動力プーリと前記従動プーリとが第一ベルトによって伝動可能に連結され、前記第一モータの作動を制御することで、前記従動プーリを前記攪拌軸の回転を連動させ、そして前記攪拌ファンが前記インクチャンバの中のインクを攪拌し、インクを均等に混和させ、沈殿を防げ、同時にスライドブロックが上に滑り、栓を上に移動させ、それにより、前記貫通穴が開かれる。
【０００７】
更の技術プラン、前記把持機構は前記スライドチャンバと前記伝動チャンバとの間に回転可能に設置された横向きネジボルトを含み、前記横向きネジボルトの一側末端には従動傘歯車が固定的に設置され、前記スライドチャンバの中にはネジ山ブロックがスライド可能に設置され、前記スライドチャンバの中には把持ブロックがスライド可能に設置され、前記把持ブロックの一端にはゴムブロックが固定的に設置され、前記把持ブロックと前記ネジ山ブロックとの間にはばねが取り付けられ、前記ネジ山ブロックと前記横向きネジボルトとがネジ山によって連結され、前記伝動チャンバの底壁にはいずれも伝動軸が回転可能に設置され、前記伝動軸の頂端には前記従動傘歯車と噛み合えるように連結された動力傘歯車が固定的に設置され、前記伝動軸の外周には大ギアが固定的に設置され、二組の前記伝動チャンバのうち互いに近接した側の内壁には第一内歯車が回転可能に設置され、前記第一内歯車の外周と前記大ギアとが噛み合えるように設置され、左側に位置する前記伝動軸の外周には第一プーリが固定的に設置され、左側に位置する前記伝動チャンバの一側端壁には半円チャンバが設置され、前記半円チャンバの上下端壁にはいずれもブッシングが回転可能に設置され、二組の前記ブッシングのうち互いに近接した側の末端にはいずれも端面ギアが固定的に設置され、前記ブッシングの外周にはいずれも第二プーリが固定的に設置され、底部に位置する前記第二プーリと前記第一プーリとが第二ベルトによって伝動可能に連結され、前記スライドブロックの底部端面には第二モータが固定的に嵌め込んており、前記第二モータの頂端にはスプラインスリーブが伝動可能に連結され、前記スプラインスリーブの中には上に伸びている動力軸がスプラインによって連結され、前記動力軸が前記ブッシングを貫いており、且つ前記ブッシングと隙間嵌めに連結され、二組の前記端面ギアの間に位置する前記動力軸の外周には動力ギアが固定的に設置され、前記動力軸の頂端には押しブロックが固定的に設置され、前記第二モータの作動を制御し、そして前記押しブロックを押すことで、前記動力ギアと底部に位置する前記端面ギアとを噛み合わせ、さらに前記伝動軸を回転させ、前記横向きネジボルトを回転させることで、前記把持ブロックが万年筆を締め付ける。
【０００８】
更の技術プラン、前記インク補充機構は前記伝動チャンバの中に回転可能に設置されたウォームホイール  を含み、前記ウォームホイールの前側端面には糸巻輪が固定的に設置され、前記伝動チャンバの頂壁にはウォームが回転可能に設置され、前記ウォームと前記ウォームホイールとが噛み合っており、前記ウォームの底端には第三プーリが固定的に設置され、前記第三プーリと頂部に位置する前記端面ギアとが第三ベルトによって伝動可能に連結され、前記ウォームの外周には小ギアが固定的に設置され、前記伝動チャンバの一側端壁の中には第二内歯車が回転可能に設置され、前記第二内歯車と前記小ギアとが噛み合っており、前記凹溝の中には弓形板が回転可能に設置され、前記弓形板の一端には圧迫板が固定的に設置され、前記弓形板と前記糸巻輪とが引き糸によって連結され、前記ウォームの回転を制御することで、前記第二内歯車を回転させ、そして左右両側に位置する前記糸巻輪を回転させ、さらに前記弓形板の頂端に位置する前記圧迫板を万年筆の墨汁嚢を圧迫させ、インク補充を行う。
【０００９】
使用時には、まず第一モータを起動し、ネジボルト軸を回転させ、そして動力プーリを前記従動プーリの回転を連動させ、それにより、攪拌ファンがインクチャンバの中のインクを攪拌し、インクを均等に混和させ、沈殿を防げ、同時にネジボルト軸がスライドブロックを上に滑らせ、円盤を上に移動させることで、栓を開き、この時万年筆を円型穴の中に挿入し、万年筆の底部を前記インクチャンバの中に伸び、押しブロックを押すことで、動力ギアと底部に位置する端面ギアとを噛み合わせ、この時第二モーターを起動し、動力ギアを端面ギアの回転を連動させ、そして第二プーリが第一プーリの回転を連動させ、大ギアを第一内歯車の回転を連動させ、さらに左右両側に位置する動力傘歯車を全部回転させ、横向きネジボルトを回転させ、それにより、把持ブロックが互いに接近して万年筆を締め付け、締め付けた後に押しブロックを放し、動力ギアと頂部に位置する端面ギアとを噛み合わせ、第二モータの作動を制御し、ウォームを回転させ、そして第二内歯車を回転させ、左右両側に位置する糸巻輪を全部回転させ、さらに弓形板を回転させ、圧迫板を万年筆の墨汁嚢を圧迫させ、インク補充を行い、補充完了後、逆操作することで、装置を初期状態に戻す。
【発明の効果】
【００１０】
本発明の有益的効果は：本発明は直接手でインクボトルを開けずに済み、インクボトルを開ける時にインクが手につくことを防げ、同時に万年筆への自動的把持とインク補充も実現し、手でインクを補充することの手間を省き、インク補充中にインクが手や服につくことを防げられる。
【図面の簡単な説明】
【００１１】
下記に図１〜５を交え、本発明について詳しく説明し、また、説明をわかりやすくさせるため、下記の方向を以下のように規定する：図１は本発明装置の正面図であり、以下に述べる上下左右前後の方向と図１本体の投影関係の上下左右前後の方向とが一致である。
【００１２】
【図１】図１は本発明である自動的にインクを補充するインクボトルの内部全体構成    略図
【図２】図２は図１におけるＡの局部拡大略図
【図３】図３は本発明における把持機構の局部拡大略図
【図４】図４は本発明における把持ブロックの略図
【図５】図５は本発明における押しブロックの略図
【発明を実施するための形態】
【００１３】
図１〜５を参照し、本発明である自動的にインクを補充するインクボトルは、台座１１と、インクボトル２０と、支持柱１２とを含み、前記インクボトル２０が前記台座１１の頂端に固定されており、前記支持柱１２が前記台座１１の左側端面に固定され、前記インクボトル２０の中にはインクチャンバ２１が設置され、前記インクチャンバ２１の頂壁には外部と連通した貫通穴４６が設置され、前記台座１１の中にはベルトチャンバ１４が設置され、前記ベルトチャンバ１４の中には動力機構８１が設置され、前記動力機構８１はインクを均等にかき混ぜることができ、前記支持柱１２の頂端にはスライド溝２５が設置され、前記スライド溝２５の中にはスライドブロック２６がスライド可能に設置され、前記スライドブロック２６の右側端面には円盤１０が固定的に設置され、前記円盤１０の中部には円型穴６１が設置され、前記円型穴６１の左右両側端壁の中にはそれぞれスライドチャンバ６２が設置され、前記スライドチャンバ６２の中には万年筆を把持できる把持機構８２が設置され、前記円盤１０の頂端には二組の凹溝５４が左右対称に設置され、前記凹溝５４の中には万年筆を圧迫することで前記インクボトル２０から万年筆にインクを補充させることが可能なインク補充機構８３が設置され、前記凹溝５４の一側に位置する円盤１０の中にはいずれも伝動チャンバ５０が設置され、前記円盤１０の底端には弾性板４５が二組固定的に設置され、前記弾性板４５が弾性を有し、且つ前記弾性板４５の底端にはいずれも栓４４が固定的に設置され、前記栓４４が協働した後に前記貫通穴４６に挿入され、前記インクチャンバ２１の頂部を封鎖でき、前記台座１１の右側端面には前記インクチャンバ２１と連通した管路１８が設置され、前記管路１８の中には小さめの逆止弁１９が設置され、前記管路１８によりインクを前記インクチャンバ２１の中に補充できる。
【００１４】
前記動力機構８１は前記ベルトチャンバ１４と前記インクチャンバ２１との間に回転可能に設置された攪拌軸２２を含み、前記インクチャンバ２１の中に位置する前記攪拌軸２２の外周には攪拌ファン２３が固定的に設置され、前記攪拌軸２２の底端には前記ベルトチャンバ１４の中に位置する従動プーリ１５が固定的に設置され、前記ベルトチャンバ１４の底壁の中には第一モータ１３が固定的に嵌設され、前記第一モータ１３の頂端には上に伸びたネジボルト軸２４が伝動可能に連結され、前記ネジボルト軸２４が前記支持柱１２と回転可能に連結され、且つ前記ネジボルト軸２４の頂部のうち伸びているところが前記スライドブロック２６とネジ山によって連結され、前記ベルトチャンバ１４の中に位置する前記ネジボルト軸２４の外周には動力プーリ１６が固定的に設置され、前記動力プーリ１６と前記従動プーリ１５とが第一ベルト１７によって伝動可能に連結され、前記第一モータ１３の作動を制御することで、前記従動プーリ１５を前記攪拌軸２２の回転を連動させ、そして前記攪拌ファン２３が前記インクチャンバ２１の中のインクを攪拌し、インクを均等に混和させ、沈殿を防げ、同時にスライドブロック２６が上に滑り、栓４４を上に移動させ、それにより、前記貫通穴４６が開かれる。
【００１５】
前記把持機構８２は前記スライドチャンバ６２と前記伝動チャンバ５０との間に回転可能に設置された横向きネジボルト５２を含み、前記横向きネジボルト５２の一側末端には従動傘歯車３７が固定的に設置され、前記スライドチャンバ６２の中にはネジ山ブロック５７がスライド可能に設置され、前記スライドチャンバ６２の中には把持ブロック５６がスライド可能に設置され、前記把持ブロック５６の一端にはゴムブロック６０が固定的に設置され、前記把持ブロック５６と前記ネジ山ブロック５７との間にはばね５８が取り付けられ、前記ネジ山ブロック５７と前記横向きネジボルト５２とがネジ山によって連結され、前記伝動チャンバ５０の底壁にはいずれも伝動軸５９が回転可能に設置され、前記伝動軸５９の頂端には前記従動傘歯車３７と噛み合えるように連結された動力傘歯車３６が固定的に設置され、前記伝動軸５９の外周には大ギア３４が固定的に設置され、二組の前記伝動チャンバ５０のうち互いに近接した側の内壁には第一内歯車５１が回転可能に設置され、前記第一内歯車５１の外周と前記大ギア３４とが噛み合えるように設置され、左側に位置する前記伝動軸５９の外周には第一プーリ３５が固定的に設置され、左側に位置する前記伝動チャンバ５０の一側端壁には半円チャンバ２７が設置され、前記半円チャンバ２７の上下端壁にはいずれもブッシング３１が回転可能に設置され、二組の前記ブッシング３１のうち互いに近接した側の末端にはいずれも端面ギア２９が固定的に設置され、前記ブッシング３１の外周にはいずれも第二プーリ３０が固定的に設置され、底部に位置する前記第二プーリ３０と前記第一プーリ３５とが第二ベルト６５によって伝動可能に連結され、前記スライドブロック２６の底部端面には第二モータ３３が固定的に嵌め込んており、前記第二モータ３３の頂端にはスプラインスリーブ６８が伝動可能に連結され、前記スプラインスリーブ６８の中には上に伸びている動力軸３２がスプラインによって連結され、前記動力軸３２が前記ブッシング３１を貫いており、且つ前記ブッシング３１と隙間嵌めに連結され、二組の前記端面ギア２９の間に位置する前記動力軸３２の外周には動力ギア２８が固定的に設置され、前記動力軸３２の頂端には押しブロック７１が固定的に設置され、前記第二モータ３３の作動を制御し、そして前記押しブロック７１を押すことで、前記動力ギア２８と底部に位置する前記端面ギア２９とを噛み合わせ、さらに前記伝動軸５９を回転させ、前記横向きネジボルト５２を回転させることで、前記把持ブロック５６が万年筆を締め付ける。
【００１６】
前記インク補充機構８３は前記伝動チャンバ５０の中に回転可能に設置されたウォームホイール  ３８を含み、前記ウォームホイール３８の前側端面には糸巻輪３９が固定的に設置され、前記伝動チャンバ５０の頂壁にはウォーム４３が回転可能に設置され、前記ウォーム４３と前記ウォームホイール３８とが噛み合っており、前記ウォーム４３の底端には第三プーリ７０が固定的に設置され、前記第三プーリ７０と頂部に位置する前記端面ギア２９とが第三ベルト６６によって伝動可能に連結され、前記ウォーム４３の外周には小ギア４２が固定的に設置され、前記伝動チャンバ５０の一側端壁の中には第二内歯車４０が回転可能に設置され、前記第二内歯車４０と前記小ギア４２とが噛み合っており、前記凹溝５４の中には弓形板５５が回転可能に設置され、前記弓形板５５の一端には圧迫板６９が固定的に設置され、前記弓形板５５と前記糸巻輪３０とが引き糸５３によって連結され、前記ウォーム４３の回転を制御することで、前記第二内歯車４０を回転させ、そして左右両側に位置する前記糸巻輪３９を回転させ、さらに前記弓形板５５の頂端に位置する前記圧迫板６９を万年筆の墨汁嚢を圧迫させ、インク補充を行う。  
【００１７】
使用時には、まず第一モータ１３を起動し、ネジボルト軸２４を回転させ、そして動力プーリ１６を前記従動プーリの回転を連動させ、それにより、攪拌ファン２３がインクチャンバ２１の中のインクを攪拌し、インクを均等に混和させ、沈殿を防げ、同時にネジボルト軸２４がスライドブロック２６を上に滑らせ、円盤１０を上に移動させることで、栓４４を開き、この時万年筆を円型穴６１の中に挿入し、万年筆の底部を前記インクチャンバ２１の中に伸び、押しブロック７１を押すことで、動力ギア２８と底部に位置する端面ギア２９とを噛み合わせ、この時第二モーター３３を起動し、動力ギア２８を端面ギア２０の回転を連動させ、そして第二プーリ３０が第一プーリ３５の回転を連動させ、大ギア３４を第一内歯車５１の回転を連動させ、さらに左右両側に位置する動力傘歯車３６を全部回転させ、横向きネジボルト５２を回転させ、それにより、把持ブロック５６が互いに接近して万年筆を締め付け、締め付けた後に押しブロック７１を放し、動力ギア２８と頂部に位置する端面ギア２９とを噛み合わせ、第二モータ３３の作動を制御し、ウォーム４３を回転させ、そして第二内歯車４０を回転させ、左右両側に位置する糸巻輪３０を全部回転させ、さらに弓形板５５を回転させ、圧迫板６９を万年筆の墨汁嚢を圧迫させ、インク補充を行い、補充完了後、逆操作することで、装置を初期状態に戻す。
【００１８】
本発明の有益的効果は：本発明は直接手でインクボトルを開けずに済み、インクボトルを開ける時にインクが手につくことを防げ、同時に万年筆への自動的把持とインク補充も実現し、手でインクを補充することの手間を省き、インク補充中にインクが手や服につくことを防げられる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。